(57)【要約】【課題】  従来の光トリプレクサモジュールは、光送受信部が互いに異なる３方向に出力されていることから、各光送受信部の入出力信号を処理する回路を実装する基板を分割する必要があり、それ故サイズが大きくなるという欠点があった。【解決手段】  光トリプレクサモジュールの一つの側面で、かつ直線状に配置された光送受信部に近接した位置に基板を配置し、上記光送受信部の入出力信号を処理する回路を上記基板上に実装する。このような構成とすることで、基板を分割する必要が無くなり、サイズの小型化が可能となる。また、各部から出力されるリード線は、極力短くなるように基板と接続できる構成とすることで、リード線長に起因する特性劣化を抑制することも可能となる。【選択図】  図１
2009210696.tif 000002
【特許請求の範囲】
【請求項１】
波長の異なる３以上の光送受信信号を多重して双方向に伝送する光ファイバを通して上記光送受信信号を送受信する光送受信器であって、
上記光ファイバの光軸上に３個以上並設され、所定波長の光信号を反射する光フィルタ、
この光フィルタに各々対応して直線状に配置され、上記光フィルタから反射された所定波長の光受信信号を受光する受光素子及び上記光フィルタを介して上記光軸上に光送信信号を発光する発光素子、
上記光ファイバ、光フィルタ、受光素子、発光素子を収容する光送受信モジュール、
この光送受信モジュールの側面で、上記直線状に配置された受光素子及び発光素子に近接
配置され、上記発光素子への入力信号を処理する光送信回路及び上記受光素子からの出力信号を処理する光受信回路が搭載された単一の基板で構成されることを特徴とする光送受信器。
【請求項２】
波長の異なる３以上の光送受信信号を多重して双方向に伝送する光ファイバを通して上記光送受信信号を送受信する光送受信器であって、
上記光ファイバの光軸上に２個以上並設され、所定波長の光信号を反射する光フィルタ、
この光フィルタに各々対応して直線状に配置され、上記光フィルタから反射された所定波長の光受信信号を受光する受光素子及び／又は上記光フィルタを介して上記光軸上に光送信信号を発光する発光素子、
上記光フィルタを介在させて上記光ファイバと対向して配置され、上記光フィルタを透過
した光受信信号を受光する受光素子又は上記光フィルタを介して上記光軸上に光送信信号を発光する発光素子、
上記光ファイバ、光フィルタ、受光素子、発光素子を収容する光送受信モジュール、
上記光送受信モジュールの側面で、上記直線状に配置された受光素子及び／又は発光素子に近接配置され、上記発光素子への入力信号を処理する光送信回路及び／又は上記受光素子からの出力信号を処理する光受信回路が搭載された第１の基板、
上記光ファイバと対向して配置された受光素子又は発光素子に近接配置され、上記発光素子への入力信号を処理する光送信回路又は上記受光素子からの出力信号を処理する光受信回路が搭載された第２の基板で構成されることを特徴とする光送受信器。
【請求項３】
光送受信モジュール側面で、かつ直線状に配置された受光素子が受光する光受信信号及び発光素子が発光する光送信信号の波長の短い順、もしくは長い順に上記受光素子及び発光素子を配置することを特徴とする請求項１または請求項２に記載の光送受信器。
【請求項４】
光ファイバと対向して配置された受光素子又は発光素子のリード端子をフレキシブル基板の一端に接続し、上記光送受信モジュールの側面で、上記直線状に配置された受光素子及び／又は発光素子に近接配置され、上記発光素子への入力信号を処理する光送信回路及び上記受光素子からの出力信号を処理する光受信回路を搭載した基板に上記フレキシブル基板の他端を接続することを特徴とする請求項２に記載の光送受信器。
【請求項５】
光送信回路及び／又は光受信回路が搭載された基板であって、該基板上の隣接する上記光送受信回路間にシールドあるいはスリットを形成することを特徴とする請求項１または請求項２に記載の光送受信器。
【発明の詳細な説明】
【技術分野】
【０００１】
本発明は、光信号を双方向に伝送するシステム、例えばPON（Passive Optical Network）システム等のアクセス系光通信システムに使用される双方向光送受信器の構造に関するものである。
【背景技術】
【０００２】
IEEE802.3ahをベースとしたギガビット伝送可能なPON方式であるGEPON（Gigabit Ethernet(登録商標) Passive Optical Network）による光通信システムは、上り（加入者→局舎）／下り（局舎→加入者）データをそれぞれ１波長の２波長多重にて構成されたシステムである。このシステムでは、ディジタルデータの双方向通信を実現しているが、近年同一システムに、ITU-T勧告J.185及びJ.186として規格化されたアナログ映像配信用の下りデータを１波長追加するシステムが立ち上がりつつある。光加入者線終端装置（ONT：Optical Network Terminal）には、前述のデータ信号送受信機能及び映像信号受信機能を有しており、本機能を実現するために光トリプレクサモジュールと呼ばれる双方向光送受信モジュールが使用されている。光トリプレクサモジュールは、１本の光ファイバの両端に設けられ、光ファイバ内で３波長多重された光信号を３信号に分離する光送受信モジュールである。従来の光トリプレクサモジュールは、図１８に示すように、発光素子であるLD（Laser Diode）を含むディジタルデータ光送信部（以下、LD部１）、受光素子であるPD（Photo Diode）を含むディジタルデータ光受信部（以下、PD部２）、受光素子であるVPD（Video Photo Diode）を含むアナログ映像信号光受信部（以下、VPD部３）が互いに異なる３方向に出力されている。この理由は、従来の光トリプレクサモジュールの構造が、例えば図１９に示すBOSA（Bi-directional Optical Sub-Assembly）モジュールのような現行のディジタルデータのみを送受信するLD部１及びPD部２が２方向に出力された双方向光送受信モジュールをベースとして、これにVPD部３を追加した構造となっているからである。この構造の場合、LD部１、PD部２及び光ファイバ６の光学的な位置関係は固定的に決まっており、LD部１、PD部２及び光ファイバ６と緩衝しない位置にVPD部３を追加する必要があるため、VPD部３は筐体上の不使用面(LD部１、PD部２とは異なる方向)に配置せざるを得ない構造となっている。このような理由から、図２０に示すように、それぞれの信号を処理する回路を分割して複数の基板（図２０では、基板２３、２４）に実装する必要があり、それ故、組立性が悪くなり、サイズが大きくなる、という欠点があった。結果、コストが高くなることに加え、組立時のばらつきにより性能が安定しない可能性が高くなるという問題があった。特許文献１に記載の光トリプレクサモジュールも図１８と同様の構成である。
【０００３】
【特許文献１】特開２００７−１２１４９８号公報（１１頁  図２）
【発明の開示】
【発明が解決しようとする課題】
【０００４】
図１８に示す光トリプレクサモジュール等の光送受信モジュールを設計する際、LD部１、PD部２、VPD部３及び光ファイバ６の光学的な位置関係が重要である。以下で簡単にこれらの位置関係を説明する。まず、LD部１と光ファイバ６の位置関係について説明する。LD部１内の発光素子より出力された送信光は距離と共に広がっていくが、光ファイバ６に所望レベルの光信号を入射するために、光路線上に集光レンズ４ｅを配置する。また、光路線上には、後述するPD部２、VPD部３への受信光信号を分離する光フィルタ５ｊ、５ｋが配置されるため、これらの部品の配置に基づき、集光距離が決まる。次に、PD部２、VPD部３と光ファイバ６の位置関係について説明する。光ファイバ６から入射した受信光は、PD部２入射用、VPD部３入射用で波長が異なり、それぞれの波長を分離する光フィルタ５ｊ、５ｋで各波長のみを分離し、PD部２、VPD部３へ入射する。PD部２、VPD部３は受光部の面積が決まっているため、受信光が受光部におさまるように集光レンズ４ｆ、４ｇを配置する。これら全ての位置関係を同一筐体内で決めていたため、従来は大幅な構造変更は行われていなかった。
【０００５】
しかし、光トリプレクサモジュールを使用する装置構成という観点からすると、従来の光トリプレクサモジュールは良い構造とはいえない。なぜなら、図１８に示すような従来の光トリプレクサモジュールは、LD部１、PD部２、VPD部３が互いに異なる３方向に出力されており、それぞれの信号を処理する回路を実装する基板を分割（図２０の例では、基板２３、２４に分割）する必要が生じるためである。送受信信号は、光トリプレクサモジュールのLD部１、PD部２、VPD部３のリード線を伝送するが、この部分が長いと送受信間のクロストークによる特性劣化を誘発する可能性が高くなる。この劣化要因を抑えるためには、各リード線を極力短くして基板に接続し、終端することが最も効果の得られる手法であり、従って、従来の光トリプレクサモジュールの構成の場合、基板を分割する必要があった。
【０００６】
本発明は、上記の問題を解決するためになされたもので、基板を分割する必要を無くし、組立性の改善・サイズの小型化によりコストを削減し、組立時のばらつき抑制による性能安定化を実現する装置構成を実現する光送受信器を提供することを目的とする。
【課題を解決するための手段】
【０００７】
本発明に係る光送受信器は、波長の異なる３以上の光送受信信号を多重して双方向に伝送する光ファイバを通して上記光送受信信号を送受信する光送受信器であって、上記光ファイバの光軸上に３個以上並設され、所定波長の光信号を反射する光フィルタ、この光フィルタに各々対応して直線状に配置され、上記光フィルタから反射された所定波長の光受信信号を受光する受光素子及び上記光フィルタを介して上記光軸上に光送信信号を発光する発光素子、上記光ファイバ、光フィルタ、受光素子、発光素子を収容する光送受信モジュール、この光送受信モジュールの側面で、上記直線状に配置された受光素子及び発光素子に近接配置され、上記発光素子への入力信号を処理する光送信回路及び上記受光素子からの出力信号を処理する光受信回路を搭載した単一の基板で構成されるようにしたものである。
【発明の効果】
【０００８】
本発明によれば、光ファイバを通して波長の異なる３以上の光送受信信号を双方向に伝送する光送受信器において、光送受信モジュールの側面に、上記光送受信モジュールの構成要素である発光素子及び受光素子を直線状に配置し、その近傍に、単一の基板を配置する構成としたので、上記発光素子から発光される光送信信号及び受光素子で受光される光受信信号を処理する回路が実装された基板を分割する必要が無くなり、組立性の改善・サイズの小型化によりコストが削減され、組立時のばらつき抑制による性能安定化が実現される光送受信器を提供することが可能となる。
【発明を実施するための最良の形態】
【０００９】
実施の形態１．
本発明の実施の形態１は、光ファイバ、光フィルタ、発光素子及び受光素子が収容された光送受信モジュールの一つの側面で、かつ直線状に配置された上記発光素子及び受光素子に近接した位置に、単一の基板を配置し、上記発光素子への入力信号を処理する光送信回路及び上記受光素子からの出力信号を処理する光受信回路を上記基板上に実装した光送受信器である。以下で、本発明の実施の形態を図１〜図５に基づいて説明する。
【００１０】
図１は、本発明の実施の形態１による光トリプレクサモジュールの構造を示し、図２は、図１に示した光トリプレクサモジュールを用いた光送受信器の形態を示す。また、図３〜図５は、図１に示した光トリプレクサモジュール内の光フィルタ５ａ〜５ｃのフィルタ特性を示す。図３〜図５に示すフィルタは、通過帯域の異なるバンドパスフィルタであり、これらの図の場合、波長λの損失が0dBであればその光は透過することを示し、損失が40dBであればその光は反射することを示すが、損失が0dB以外でも光が透過する場合や損失が40dB以外でも光が反射する場合もあり、この場合に限るものではない。ここで、LD部１からの送信光の波長をλｃ、PD部２への受信光の波長をλｂ、VPD部３への受信光の波長をλａとする。なお、以降では、各図中、同一符号は同一部分を示す。
【００１１】
図１において、１はデータ信号を発光する発光素子を含むLD部、２はデータ信号を受光する受光素子を含むPD部、３は映像信号を受光する受光素子を含むVPD部、４ａ〜４ｃは光信号を光路上に集光する集光レンズ、５ａ〜５ｃは光ファイバ６の光軸上に3個並設され、各々所定波長の光送受信信号を反射する光フィルタであり、上記発光素子及び受光素子は光フィルタ５ａ〜５ｃに各々対応して直線上に配置されている。６は波長の異なるデータ送受信信号及び映像受信信号を多重して双方向に伝送する光ファイバ、７は光ファイバ６、光フィルタ５ａ〜５ｃ、集光レンズ４ａ〜４ｃ、発光素子を含むLD部１、受光素子を含むPD部２及びVPD部３を収容する光トリプレクサモジュールである。なお、集光レンズ４は、集光する光の波長と発光素子及び受光素子の光学的位置関係に応じて、光フィルタ５は、光ファイバ６の光軸上に並設され、透過又は反射する光の波長に応じて添え字(ａ〜ｃ)を付している。以下で、図３〜図５に示した光フィルタ５ａ〜５ｃの動作内容を説明する。
【００１２】
光フィルタ５ａでは、光ファイバ６に含まれる送受信光のうち、LD部１からの送信光（波長λｃ）とPD部２への受信光（波長λｂ）は透過する。また、VPD部３への受信光（波長λａ）は、光フィルタ５ａで反射し、集光レンズ４ａにより集光されてVPD部３へ入射する。
【００１３】
次に、光フィルタ５ｂでは、光フィルタ５ａを透過した送受信光のうち、LD部１からの送信光（波長λｃ）は透過する。また、PD部２への受信光（波長λｂ）は反射し、集光レンズ４ｂにより集光されてPD部２へ入射する。
【００１４】
最後に、光フィルタ５ｃでは、LD部１から出射された送信光（波長λｃ）が集光レンズ４ｃにより集光されて、光フィルタ５ｃで反射し、光フィルタ５ａ、５ｂを透過して光ファイバ６へ入射する。
【００１５】
以上のように、光フィルタ５ａ〜５ｃを動作させることにより、LD部１で発光した送信光を光ファイバ６に伝送すること及び光ファイバ６を伝送した受信光をPD部２、VPD部３で受信することが可能となる。なお、ここでは、図１に示す光トリプレクサモジュール内の光フィルタ５ａ〜５ｃの一例として、図３〜図５に示すバンドパスフィルタを示したが、送受信光に含まれる波長の短い順もしくは長い順に発光素子及び受光素子を配置し、さらに光フィルタの特性をハイパスフィルタもしくはローパスフィルタとすることで、光フィルタの設計を容易にすることが可能となる。ここで、光信号のうち、ある波長よりも長い波長の光信号のみを透過する特性をもつフィルタをハイパスフィルタ、逆に、ある波長よりも短い波長の光信号のみを透過する特性をもつフィルタをローパスフィルタと定義する。以下では、光ファイバ側から送受信光の波長の短い順に発光素子及び受光素子を配置した場合の例を図６〜図９に基づいて説明する。
【００１６】
図６は、光ファイバ側から送受信光の波長の短い順に発光素子及び受光素子を配置した光トリプレクサモジュールの構成を示す図であり、図７〜図９は、図６に示した光トリプレクサモジュール１０内の光フィルタ５ｄ〜５ｆのフィルタ特性を示す。図６の例では、光ファイバ６に近い方から順に送受信光の波長が長くなっている。また、図７〜図９に示すフィルタは透過波長の異なるハイパスフィルタであり、λｃ＜λｂ＜λａである。以下で、図７〜図９に示した光フィルタ５ｄ〜５ｆの動作内容を説明する。
【００１７】
光フィルタ５ｄでは、光ファイバ６に含まれる送受信光のうち、PD部２への受信光（波長λｂ）とVPD部３への受信光（波長λａ）は透過する。また、LD部１から出射された送信光（波長λｃ）は集光レンズ４ｃにより集光されて、光フィルタ５ｄで反射し、光ファイバ６へ入射する。
【００１８】
次に、光フィルタ５ｅでは、光フィルタ５ｄを透過した送受信光のうち、VPD部３への受信光（波長λａ）は透過する。また、PD部２への受信光（波長λｂ）は反射し、集光レンズ４ｂにより集光されて、PD部２へ入射する。
【００１９】
最後に、光フィルタ５ｆでは、光フィルタ５ｅを透過したVPD部３への受信光（波長λａ）が反射し、集光レンズ４ａにより集光されて、VPD部３へ入射する。
【００２０】
以上のように発光素子及び受光素子を配置し、光フィルタ５ｄ〜５ｆを動作させることにより、単純なハイパスフィルタを用いて、LD部１で発光した送信光を光ファイバ６に伝送すること及び光ファイバ６を伝送した受信光をPD部２、VPD部３で受信することが可能となる。なお、図６〜図９の例では、光フィルタのフィルタ特性として、ハイパスフィルタの場合について示したが、LD部１〜VPD部３を図６とは逆順、すなわち、図１０に示すように、送受信光の波長の長い順に配置（λａ＞λｂ＞λｃ）し、図１１〜図１３に示すように、光フィルタ５ｇ〜５ｉのフィルタ特性がローパスフィルタである構成としてもよい。
【００２１】
続いて、光トリプレクサモジュール７の構造について説明する。図１で、LD部１、PD部２及びVPD部３は、光フィルタ５ａ〜５ｃに対応して直線状に配置され、さらに光トリプレクサモジュール７の同一面に配置されており、各部からのリード線は、全て真下方向に伸びている。
【００２２】
図２において、８は光トリプレクサモジュール７の側面で、LD部１、PD部２及びVPD部３に近接配置された基板、９は光送受信器である。図２で、LD部１、PD部２及びVPD部３からのリード線は、LD部１〜VPD部３に近接配置された基板８上の実装穴に最短で直接挿入され、基板８と接続されている。基板８には、LD部１内の発光素子への入力信号を処理する光送信回路及びPD部２及びVPD部３内の受光素子からの出力信号を処理する光受信回路が搭載されている。
【００２３】
以上のように、本実施の形態１で説明した光送受信器９は、LD部１、PD部２及びVPD部３からのリード線が同一の基板８に最短で接続されていることから、リード線部での信号のインピーダンスミスマッチが発生しにくく、電気特性劣化が発生しにくい。また、LD部１、PD部２及びVPD部３からの信号を処理する回路を同一の基板８に配線できることから、基板を分割する必要が無くなり、組立性の改善・サイズの小型化によりコストを削減し、組立時のばらつき抑制による性能安定化を実現することが可能となる。また、送受信光に含まれる波長の短い順もしくは長い順に発光素子及び受光素子を配置し、さらに光フィルタの特性がローパスフィルタもしくはハイパスフィルタとすることで、上記の効果に加え、光フィルタの設計を容易にすることが可能となる。
【００２４】
なお、本実施の形態１の例では、光送受信モジュールの一例として、光ファイバ内で３波長多重された光信号をLD部、PD部、VPD部の各送受信部に伝送する光トリプレクサの場合を説明したが、さらに別の光送受信部を追加した場合であっても、LD部１、PD部２及びVPD部３の構成要素である発光素子及び受光素子と同様、光送受信モジュールの側面でかつ、基板に近接する位置、あるいはさらに波長の短い順又は長い順になる位置に、追加した別の光送受信部の構成要素である発光素子及び受光素子を配置することで、上記内容と同様の効果が得られる。
【００２５】
さらに、データ信号送受信機能及び映像信号送信機能を有し、２つの光送信部（ディジタルデータ光送信部、アナログ映像信号光送信部）と１つの光受信部（ディジタルデータ光受信部）で構成される光トリプレクサモジュールを使用した光送受信器にて実現されている光加入者線端局装置（OLT：Optical Line Terminal）に対しても同様の効果が得られる。
【００２６】
実施の形態２．
上記実施の形態１では、光送受信モジュールの側面に、上記光送受信モジュールの構成要素である発光素子及び受光素子を全て直線状に配置し、その近接に、単一の基板を配置する構成であったが、これらの発光素子及び受光素子のうち、１つの発光素子もしくは受光素子を光ファイバの対向方向に配置し、残りを直線状に配置し、その近傍に、単一の基板を配置することで、実施の形態１の効果に加え、光フィルタの数が減り、小型化が可能となる。また、光ファイバの対向方向に配置された発光素子もしくは受光素子と光ファイバとの結合を容易にすることが可能となり、組立性、安定性の改善を図ることが可能となる。以下では、１つの発光素子を光ファイバの対向方向に配置した場合の例を図１４、図１５に基づいて説明する。
【００２７】
図１４は、本発明の実施の形態２による光トリプレクサモジュールの構造を示し、図１５は、図１４に示した光トリプレクサモジュールを用いた光送受信器の形態を示す。
【００２８】
図１４において、４ｄは集光レンズ、１２は光トリプレクサモジュールである。なお、集光レンズ４ｄは、集光レンズ４ｃと同様、LD部１からの送信光を光路上に集光するものであるが、光学的な位置関係が集光レンズ４ｃとは異なることから、別の添え字を付している。また、光フィルタ５ａ、５ｂのフィルタ特性は図４、図５に示す通りであるが、実施の形態１と同様、ハイパスフィルタもしくはローパスフィルタとしてもよい。そして、実施の形態１と同様に設計した光フィルタ５ａ、５ｂを動作させることにより、LD部１で発光した送信光を光ファイバ６に伝送すること及び光ファイバ６を伝送した受信光をPD部２、VPD部３で受信することが可能である。
【００２９】
次に、光トリプレクサモジュール１２の構造について説明する。図１４で、LD部１は、光ファイバ６の対向方向に配置されており、PD部２、VPD部３は、光トリプレクサモジュール１２の同一面（ただし、LD部１とは異なる面）に配置されている。
【００３０】
図１５において、１３は基板、１４は光送受信器である。図１５で、LD部１からのリード線は、基板１３と接続されており、PD部２、VPD部３からのリード線は、基板１３上の実装穴に最短で直接挿入され、基板１３と接続されている。
【００３１】
以上のように、本実施の形態２で説明した光送受信器１４は、LD部１、PD部２及びVPD部３からのリード線が同一の基板１３と接続されていることから、実施の形態１と同様の効果が得られる。また、LD部１を光ファイバ６の対向方向に配置する構成は、従来の構成と同一であり、LD部１−光ファイバ６間の光路が直線になることで、LD部１からの送信光を光ファイバ６へ容易に結合させることが可能となり、実施の形態１の効果に加え、光トリプレクサモジュール１２の組立性、安定性の改善を図ることが可能となる。なお、実施の形態１と同様、本実施の形態２で説明した光トリプレクサモジュールに別の光送受信部を追加した場合であっても、PD部２及びVPD部３の構成要素である受光素子と同様の位置に、追加した別の光送受信部の構成要素である発光素子及び受光素子を配置することで、同様の効果が得られる。さらに、実施の形態１と同様、光加入者線端局装置(OLT)に対しても同様の効果が得られる。
【００３２】
実施の形態３．
上記実施の形態２では、光送受信モジュールの構成要素である発光素子及び受光素子のうち、光ファイバ６の対向方向に配置された発光素子を含む光送信部（LD部１）から基板１３までの接続はリード線であるため、このリード線が長いと、LD部１からの出力信号のインピーダンスマッチングが取れずに電気特性が劣化する可能性があったが、例えば、このリード線をインピーダンスミスマッチが発生しないレベルに短くし、基板１３までの接続をインピーダンスマッチングの取れたフレキシブル基板にて行うことで、インピーダンスマッチングをとることが可能となり、電気特性の劣化を抑えることが可能となる。以下では、実施の形態２において、フレキシブル基板にてLD部１から基板１３までを接続した場合の例を図１６に基づいて説明する。
【００３３】
図１６は、本発明の実施の形態３による光トリプレクサモジュールを用いた光送受信器の形態を示す。なお、光トリプレクサモジュールの構造は、図１４と同一である。
【００３４】
図１６において、１５は基板、１６はインピーダンスマッチングの取れたフレキシブル基板、１７は光送受信器である。図１６で、LD部１からのリード線は、インピーダンスミスマッチが発生しないレベルに短くカットされ、フレキシブル基板１６の一端と接続されている。そして、フレキシブル基板１６の他端は、基板１５と接続されている。
【００３５】
以上のように、本実施の形態３で説明した光送受信器１７は、光トリプレクサモジュール１２内のLD部１、PD部２及びVPD部３の配置が実施の形態２と同じであることから、実施の形態２と同様の効果が得られる。また、LD部１から基板１５までをインピーダンスマッチングがとれたフレキブル基板１６にて接続することで、実施の形態２の効果に加え、LD部１からの出力信号の電気特性の劣化を抑えることが可能となる。
実施の形態４．
上記実施の形態１〜実施の形態３では、光送受信モジュールの構成要素である発光素子及び受光素子の近接に、単一の基板を配置する構成、あるいはフレキシブル基板を介して上記基板と接続される構成としていた。このため、従来のように発光素子への入力信号を処理する光送信回路と受光素子からの出力信号を処理する光受信回路を別々の基板に実装した場合に比べ、光送受信回路間の位置が近づき、例えば、発光素子を駆動する電流による電磁ノイズによって電気的クロストークが発生し、受光素子の受光感度が低下する可能性があるが、光送受信回路間をシールドしたり、あるいはスリットを設けたりすることにより、電気的クロストークを低減させることが可能である。上記の方法は、実施の形態１〜実施の形態３の全てに対して、同一の方法により適用可能である。以下では、実施の形態１において、光送受信回路間にスリットを設けた場合の例を図１７に基づいて説明する。図１７は、本発明の実施の形態４による光送受信器の斜視図である。
【００３６】
図１７において、１８は基板、１９はスリット、２０は光送受信器である。図１７で、LD部１内の発光素子への入力信号を処理する光送信回路とPD部２内の受光素子からの出力信号を処理する光受信回路及びVPD部３内の受光素子からの出力信号を処理する光受信回路が、基板１８上に実装されており、さらにLD部１、PD部２間及びPD部２、VPD部３間にスリット１９が設けられている。
【００３７】
以上のように、本実施の形態４で説明した光送受信器２０は、LD部１、PD部２及びVPD部３からの信号を処理する回路を同一の基板１８に配線されていることから、実施の形態１と同じであり、実施の形態１と同様の効果が得られる。また、LD部１への光送信回路、PD部２からの光受信回路間にスリット１９が設けられていることから、光送受信信号間の電気的クロストークを低減させることが可能である。また、PD部２からの光受信信号を処理する光受信回路、VPD部３からのアナログ信号を処理する光受信回路間にスリット１９が設けられていることから、ディジタル信号−アナログ信号間の電気的クロストークを低減させることも可能である。なお、本実施の形態４の例では、光送受信回路間あるいはアナログ信号−ディジタル信号間にスリットを設ける場合について説明したが、これらの信号間に金属板を設ける又はグランドパタン等でシールドする場合も同様である。
【図面の簡単な説明】
【００３８】
【図１】本発明の実施の形態１による光トリプレクサモジュールの構造を示す図である。
【図２】図１に示した光トリプレクサモジュールを用いた光送受信器の形態を示す図である。
【図３】図１に示した光トリプレクサモジュール内の光フィルタ５ａのフィルタ特性を示す図である。
【図４】図１に示した光トリプレクサモジュール内の光フィルタ５ｂのフィルタ特性を示す図である。
【図５】図１に示した光トリプレクサモジュール内の光フィルタ５ｃのフィルタ特性を示す図である。
【図６】本発明の実施の形態１による光トリプレクサモジュールの構造を示す図の別の一例である。
【図７】図６に示した光トリプレクサモジュール内の光フィルタ５ｄのフィルタ特性を示す図である。
【図８】図６に示した光トリプレクサモジュール内の光フィルタ５ｅのフィルタ特性を示す図である。
【図９】図６に示した光トリプレクサモジュール内の光フィルタ５ｆのフィルタ特性を示す図である。
【図１０】本発明の実施の形態１による光トリプレクサモジュールの構造を示す図の別の一例である。
【図１１】図１０に示した光トリプレクサモジュール内の光フィルタ５ｇのフィルタ特性を示す図である。
【図１２】図１０に示した光トリプレクサモジュール内の光フィルタ５ｈのフィルタ特性を示す図である。
【図１３】図１０に示した光トリプレクサモジュール内の光フィルタ５ｉのフィルタ特性を示す図である。
【図１４】本発明の実施の形態２による光トリプレクサモジュールの構造を示す図である。
【図１５】図１４に示した光トリプレクサモジュールを用いた光送受信器の形態を示す図である。
【図１６】本発明の実施の形態３において、図１４に示した光トリプレクサモジュールを用いた光送受信器の形態を示す図である。
【図１７】本発明の実施の形態４において、図１に示した光トリプレクサモジュールを用いた光送受信器の斜視図である。
【図１８】従来の光トリプレクサモジュールの構造を示す図である。
【図１９】従来のBOSAモジュールの構造の一例を示す図である。
【図２０】従来の光トリプレクサモジュールを使用した光送受信器の形態を示す図である。
【符号の説明】
【００３９】
１：LD部、２：PD部、３：VPD部、４：集光レンズ、５：光フィルタ、６：光ファイバ、７、１０、１１、１２、１８、１９、２１、２２：光トリプレクサモジュール、８、１３、１５、１８、２３、２４：基板、９、１４、１７、２０、２６：光送受信器、１６、２５：フレキシブル基板、１９：スリット
【図１】
2009210696.tif 000003
【図２】
2009210696.tif 000004
【図３】
2009210696.tif 000005
【図４】
2009210696.tif 000006
【図５】
2009210696.tif 000007
【図６】
2009210696.tif 000008
【図７】
2009210696.tif 000009
【図８】
2009210696.tif 000010
【図９】
2009210696.tif 000011
【図１０】
2009210696.tif 000012
【図１１】
2009210696.tif 000013
【図１２】
2009210696.tif 000014
【図１３】
2009210696.tif 000015
【図１４】
2009210696.tif 000016
【図１５】
2009210696.tif 000017
【図１６】
2009210696.tif 000018
【図１７】
2009210696.tif 000019
【図１８】
2009210696.tif 000020
【図１９】
2009210696.tif 000021
【図２０】
2009210696.tif 000022